(57)【特許請求の範囲】
【請求項１】
筆記を行うための機能を具現する筆記芯と、
筆記芯を収容する軸筒と、
軸筒の一端側に配され、使用者の手指により軸筒内に向けて押圧されるノック操作を受けることで軸筒内により深く進入した進入位置に移動して筆記芯の先端部を軸筒の他端側から露出させるとともに、再度ノック操作を受けることで軸筒の一端側からより大きく突出する突出位置に復帰して筆記芯の先端部を軸筒内に没入させるノック部材と、
ノック部材が再度のノック操作を受けて突出位置に復帰する際、使用者の手指から加えられる操作力によらずに、ノック部材が突出位置と進入位置との間で進退する軸心方向とは異なる方向に変位することを惹起し、以て突出位置に復帰したノック部材の進入位置に向かう移動を規制する自動ロック機構と
を具備し、
前記自動ロック機構が、前記ノック部材が前記突出位置に向けて移動する過程でノック部材を前記軸筒に対して相対的に軸心回りに回動させる筆記具。
【請求項２】
筆記を行うための機能を具現する筆記芯と、
筆記芯を収容する軸筒と、
軸筒の一端側に配され、使用者の手指により軸筒内に向けて押圧されるノック操作を受けることで軸筒内により深く進入した進入位置に移動して筆記芯の先端部を軸筒の他端側から露出させるとともに、再度ノック操作を受けることで軸筒の一端側からより大きく突出する突出位置に復帰して筆記芯の先端部を軸筒内に没入させるノック部材と、
ノック部材が再度のノック操作を受けて突出位置に復帰する際、使用者の手指から加えられる操作力によらずに、ノック部材が突出位置と進入位置との間で進退する軸心方向とは異なる方向に変位することを惹起し、以て突出位置に復帰したノック部材の進入位置に向かう移動を規制する自動ロック機構と
を具備し、
前記軸筒の一端側の端部から他端側に向かって延びる、軸心方向に沿って進退するノック部材の所定部位を通過させるための切欠を軸筒に形成しており、
前記軸筒の外周面との間で他の物を挟むことのできるクリップを、前記ノック部材の外周面から外側に張り出す連接部を介してノック部材に一体的に設けており、
ノック部材が突出位置に復帰するとき、ノック部材の連接部の位置が軸筒の切欠からずれる筆記具。
【請求項３】
筆記を行うための機能を具現する筆記芯と、
筆記芯を収容する軸筒と、
軸筒の一端側に配され、使用者の手指により軸筒内に向けて押圧されるノック操作を受けることで軸筒内により深く進入した進入位置に移動して筆記芯の先端部を軸筒の他端側から露出させるとともに、再度ノック操作を受けることで軸筒の一端側からより大きく突出する突出位置に復帰して筆記芯の先端部を軸筒内に没入させるノック部材と、
ノック部材が再度のノック操作を受けて突出位置に復帰する際、使用者の手指から加えられる操作力によらずに、ノック部材が突出位置と進入位置との間で進退する軸心方向とは異なる方向に変位することを惹起し、以て突出位置に復帰したノック部材の進入位置に向かう移動を規制する自動ロック機構と
を具備し、
前記自動ロック機構として、前記軸筒において前記ノック部材を受け容れる筒孔の内周面よりも外側に位置するロック姿勢と当該筒孔の内周面よりも内側に位置するアンロック姿勢とをとり得るストッパを前記ノック部材に設けており、
前記ストッパを、軸心方向に対して交差する軸回りに回動可能であるようにノック部材の基体に支持させている筆記具。
【発明の詳細な説明】
【技術分野】
【０００１】
本発明は、いわゆるノック式の筆記具に関する。
【背景技術】
【０００２】
この種の筆記具の代表例として、ノック式のボールペンが周知である（例えば、下記非特許文献を参照）。ノック式のボールペンでは、後端側に設けられているノック部材（ノック棒）を押下することで、インキを紙等の筆記対象に転写するためのボールを包有するペン先が軸筒の前端側から突出する。その後、再びノック部材を押下することで、軸筒から突出していたペン先が軸筒内に没入する。
【０００３】
ノック式の筆記具をペンケースや鞄等に入れて運搬している最中に、他の物品等により意図せずノック部材が押圧されて、ペン先が軸筒から突出することがある。さすれば、ペン先から滲出するインクが、筆記具を収めているペンケースや鞄等の内側を汚染してしまう懸念を生じる。
【先行技術文献】
【非特許文献】
【０００４】
【非特許文献１】“ボールペン”，コクヨ総合カタログ２０１５年版ステーショナリー編，コクヨ株式会社，平成２６年１２月，ｐ．５３９−５４０
【発明の概要】
【発明が解決しようとする課題】
【０００５】
本発明は、使用者の意図によらずノック部材が押圧されて筆記芯の先端部が軸筒から突出することを効果的に抑止することを所期の目的としている。
【課題を解決するための手段】
【０００６】
上述した課題を解決するべく、本発明では、筆記を行うための機能を具現する筆記芯と、筆記芯を収容する軸筒と、軸筒の一端側に配され、使用者の手指により軸筒内に向けて押圧されるノック操作を受けることで軸筒内により深く進入した進入位置に移動して筆記芯の先端部を軸筒の他端側から露出させるとともに、再度ノック操作を受けることで軸筒の一端側からより大きく突出する突出位置に復帰して筆記芯の先端部を軸筒内に没入させるノック部材と、ノック部材が再度のノック操作を受けて突出位置に復帰する際、使用者の手指から加えられる操作力によらずに、ノック部材が突出位置と進入位置との間で進退する軸心方向とは異なる方向に変位することを惹起し、以て突出位置に復帰したノック部材の進入位置に向かう移動を規制する自動ロック機構とを具備し、前記自動ロック機構が、前記ノック部材が前記突出位置に向けて移動する過程でノック部材を前記軸筒に対して相対的に軸心回りに回動させる筆記具を構成した。
【０００７】
また、本発明では、筆記を行うための機能を具現する筆記芯と、筆記芯を収容する軸筒と、軸筒の一端側に配され、使用者の手指により軸筒内に向けて押圧されるノック操作を受けることで軸筒内により深く進入した進入位置に移動して筆記芯の先端部を軸筒の他端側から露出させるとともに、再度ノック操作を受けることで軸筒の一端側からより大きく突出する突出位置に復帰して筆記芯の先端部を軸筒内に没入させるノック部材と、ノック部材が再度のノック操作を受けて突出位置に復帰する際、使用者の手指から加えられる操作力によらずに、ノック部材が突出位置と進入位置との間で進退する軸心方向とは異なる方向に変位することを惹起し、以て突出位置に復帰したノック部材の進入位置に向かう移動を規制する自動ロック機構とを具備し、前記軸筒の一端側の端部から他端側に向かって延びる、軸心方向に沿って進退するノック部材の所定部位を通過させるための切欠を軸筒に形成しており、前記軸筒の外周面との間で他の物を挟むことのできるクリップを、前記ノック部材の外周面から外側に張り出す連接部を介してノック部材に一体的に設けており、ノック部材が突出位置に復帰するとき、ノック部材の連接部の位置が軸筒の切欠からずれる筆記具を構成した。
【０００８】
並びに、本発明では、筆記を行うための機能を具現する筆記芯と、筆記芯を収容する軸筒と、軸筒の一端側に配され、使用者の手指により軸筒内に向けて押圧されるノック操作を受けることで軸筒内により深く進入した進入位置に移動して筆記芯の先端部を軸筒の他端側から露出させるとともに、再度ノック操作を受けることで軸筒の一端側からより大きく突出する突出位置に復帰して筆記芯の先端部を軸筒内に没入させるノック部材と、ノック部材が再度のノック操作を受けて突出位置に復帰する際、使用者の手指から加えられる操作力によらずに、ノック部材が突出位置と進入位置との間で進退する軸心方向とは異なる方向に変位することを惹起し、以て突出位置に復帰したノック部材の進入位置に向かう移動を規制する自動ロック機構とを具備し、前記自動ロック機構として、前記軸筒において前記ノック部材を受け容れる筒孔の内周面よりも外側に位置するロック姿勢と当該筒孔の内周面よりも内側に位置するアンロック姿勢とをとり得るストッパを前記ノック部材に設けており、前記ストッパを、軸心方向に対して交差する軸回りに回動可能であるようにノック部材の基体に支持させている筆記具を構成した。
【発明の効果】
【００１２】
本発明によれば、使用者の意図によらずノック部材が押圧されて筆記芯の先端部が軸筒から突出することを効果的に抑止できる。
【図面の簡単な説明】
【００１３】
【図１】本発明の第一実施形態の筆記具の斜視図。
【図２】同実施形態の筆記具の斜視図。
【図３】同実施形態の筆記具を分解した状態を示す斜視図。
【図４】同実施形態の筆記具の後軸及びノック部材を拡大して示す、後軸の後端部を破断した斜視図。
【図５】同実施形態の筆記具の後軸及びノック部材を拡大して示す側断面図。
【図６】同実施形態の筆記具の後軸及びノック部材を拡大して示す平断面図。
【図７】同実施形態の筆記具の後軸及びノック部材を拡大して示す側断面図。
【図８】同実施形態の筆記具の後軸及びノック部材を拡大して示す平断面図。
【図９】本発明の第二実施形態の筆記具の後軸及びノック部材を拡大して示す側断面図。
【図１０】同実施形態の筆記具の後軸及びノック部材を拡大して示す側断面図。
【発明を実施するための形態】
【００１４】
＜第一実施形態＞本発明の一実施形態を、図面を参照して説明する。図１ないし図８に、本発明の適用対象の一である後端ノック式の筆記具を示している。この筆記具は、筆記を行うための機能を具現する筆記芯１と、筆記芯１を収容する軸筒２と、軸筒２の一端側即ち後端（上端）側に配しているノック部材３がノック操作されることで軸筒２の他端側即ち前端（下端）側から筆記芯１の先端部を突没させるノック機構と、使用者の意図によらずノック部材３が押圧されて筆記芯１の先端部が軸筒２の他端側から突出することを抑止するための自動ロック機構とを具備する。
【００１５】
本実施形態の筆記具は、ノック式のボールペンである。筆記芯１は、インキを充填した容器の先端部位にインキを紙等に転写するためのボールを包有する筆記機構部を取り付けたリフィルである。筆記具がボールペン以外の種類のものである場合も、筆記芯１の先端部には、インキ類を紙等に転写するための筆記機構部が設けられる。
【００１６】
軸筒２は、筆記芯１及びノック機構を収容し、使用者に把持されるケーシングであり、軸心方向に沿って伸長した筒状の概形をなす。本実施形態における軸筒２は、後軸２１及び前軸２２に二分割される。図示例では、後軸２１に雌ねじ部を形成し、前軸２２に雄ねじ部を形成しており、それら雄ねじ部と雌ねじ部との螺合を通じて、後軸２１と前軸２２とを結合し軸筒２を構成するようにしている。
【００１７】
ノック機構は、使用者の手指により軸筒２内に向けて押圧されるノック操作を受けるノック部材（ノック棒）３と、ノック部材３に対して加えられた押圧力の伝達を受けて軸筒２内で軸心回りに回動しながら前後動（上下動）する回転子４と、軸筒２の内周に設けられ軸心回りに回動する回転子４と係合して回転子４の軸心方向に沿った位置を保定する中駒（カム筒）２１１と、ノック部材３、回転子４及び筆記芯１を筆記具の後端側に向けて弾性付勢する弾性付勢部材であるコイルばね５とを要素として成立する、従来より周知のカーン式ノック機構である。
【００１８】
図１に示すように、ノック部材３が軸筒２の後端側からより大きく突出する突出位置にあるときに、使用者がノック部材３を押下するノック操作を行うと、ノック部材３及びこれと係合する回転子４が筆記具の前端側に向かって移動し、筆記芯１を前進させてその先端部を軸筒２の前端側から突出させる。しかる後、使用者がノック部材３に対して加えている押下操作力を緩めると、コイルばね５により弾性付勢されているノック部材３、回転子４及び筆記芯１が筆記具の後端側に向かってやや後退するが、回転子４と係合する中駒２１１が回転子４のそれ以上の後退を抑止し、その結果として、筆記芯１の先端部が軸筒２の前端側から突出した状態を維持するように回転子４及び筆記芯１が保定される。
【００１９】
図２に示すように、筆記芯１の先端部が軸筒２から突出し、ノック部材３が軸筒２内により深く進入した進入位置にあるときに、使用者が再度ノック部材３を押下するノック操作を行うと、ノック部材３、回転子４及び筆記芯１が筆記具の前端側に向かってやや前進する。しかる後、使用者がノック部材３に対して加えている押下操作力を緩めると、コイルばね５により弾性付勢されているノック部材３、回転子４及び筆記芯１が筆記具の後端側に向かって移動する。その過程で、中駒２１１による回転子４及び筆記芯１の保定が解除されて、図１に示しているように、ノック部材３が突出位置に復帰するとともに、筆記芯１の先端部が軸筒２内に没入する。
【００２０】
しかして、本実施形態の筆記具の自動ロック機構は、ノック部材３が再度のノック操作を受けて突出位置に復帰する際に、使用者の手指から加えられる操作力によらずに、ノック部材３が突出位置と進入位置との間で進退する軸心方向とは異なる方向に変位することを惹起する。
【００２１】
詳述すると、図３、図４、図６及び図８に示すように、本実施形態におけるノック部材３は、使用者の手指により直接押下操作される操作部３１と、軸筒２内で操作部３１とともに軸心方向に沿って進退動作しながら回転子４と係合して回転子４の軸心方向に沿った進退及び軸心回りの回転を惹起する駆動部３２とを要素とする。操作部３１と駆動部３２とは別体をなしており、操作部３１は駆動部３２及び軸筒２に対して相対的に軸心回りに回動することが可能である。一方で、駆動部３２は、既製のボールペンのカーン式ノック機構におけるノック棒と同様、軸筒２内で軸心周りに回動しない。
【００２２】
ノック部材３の操作部３１における、軸筒２内に挿入される部位の外周面には、軸心方向に対して垂直な径方向に沿って外側方に突出したカム部３１１を形成している。このカム部３１１の後向面（上向面）は、軸心方向及び軸心回りの回転方向の各々に対して傾斜している。
【００２３】
他方、ノック部材３が挿入される軸筒２の後端部の内周には、それ以外の部位と比較して内径が狭まった縮径部２１２を設けており、その縮径部２１２の前端縁（下端縁）を一部切り欠くことでカム部２１３を形成している。このカム部２１３の前向面（下向面）もまた、軸心方向及び軸心回りの回転方向の各々に対して傾斜している。軸筒２の縮径部２１２（の内周面）の内径は、ノック部材３のカム部３１１（の外周面）の外径と略等しい。ノック部材３及び軸筒２の各々のカム部３１１、２１３は、本実施形態の筆記具の自動ロック機構を構成する。
【００２４】
また、図４ないし図８に示すように、ノック部材３における、軸筒２から突出する部位である操作部３１の外周面には、径方向に沿って外側方に張り出す連接部３１２を設けており、この連接部３１２を介して、軸筒２の外周面との間で他の物を挟む機能を提供するクリップ３３をノック部材３に一体的に接合している。
【００２５】
上記の連接部３１２は、軸筒２の周壁と干渉し得る。そこで、軸筒２の後端部から前端側に向かって延びる切欠２１４を、予め軸筒２に形成してある。図７に示しているように、この切欠２１４は、ノック操作を受けたときにノック部材３とともに移動する連接部３１２を通過させるためのものである。
【００２６】
再度のノック操作を受けたノック部材３が突出位置に向けて移動する際には、図５に示すように、対向するカム部２１３の前向面とカム部３１１の後向面とが当接する。その後、コイルばね５により弾性付勢されたノック部材３がさらに後退（上動）することで、図６に示すようにカム部３１１の後向面がカム部２１３の前向面に対して摺動し、ノック部材３が軸筒２に対して軸心回りに一定の方向に回動する。結果、図８に示すように、ノック部材３が突出位置に到達する直前に、ノック部材３の連接部３１２の位置がその回動方向に沿って軸筒２の切欠２１４からずれる。そして、連接部３１２が、軸筒２の切欠２１４の後端に連なる係止部２１５に近接または係合する。係止部２１５は、ちょうど軸筒２の後端を軸心回りの回転方向即ち周方向に沿って一部切り欠いたような形状をなす。ノック部材３の連接部３１２と相対する係止部２１５の後向端面は、軸筒２の後端面よりも前方に偏倚している。
【００２７】
図８に示しているように、ノック部材３の連接部３１２が軸筒２の切欠２１４からずれている状態では、ノック部材３に軸心方向に沿った外力が作用したとしても、連接部３１２と係止部２１５との衝突により、ノック部材３が突出位置から進入位置に向かって移動することが阻まれる。故に、軸筒２内に没入している筆記芯１の先端部が軸筒２から突出することもない。本実施形態の筆記具を使用しようとする使用者は、ノック部材３をノック操作するのに先んじて、ノック部材３を軸心回りに回動させ、図７に示しているように連接部３１２を切欠２１４の直上の位置まで変位させる。
【００２８】
本実施形態では、筆記を行うための機能を具現する筆記芯１と、筆記芯１を収容する軸筒２と、軸筒２の一端側に配され、使用者の手指により軸筒２内に向けて押圧されるノック操作を受けることで軸筒２内により深く進入した進入位置に移動して筆記芯１の先端部を軸筒２の他端側から露出させるとともに、再度ノック操作を受けることで軸筒２の一端側からより大きく突出する突出位置に復帰して筆記芯１の先端部を軸筒２内に没入させるノック部材３と、ノック部材３が再度のノック操作を受けて突出位置に復帰する際、使用者の手指から加えられる操作力によらずに、ノック部材３（操作部３１）が突出位置と進入位置との間で進退する軸心方向とは異なる方向に変位することを惹起し、以て突出位置に復帰したノック部材３の進入位置に向かう移動を規制する自動ロック機構とを具備する筆記具を構成した。
【００２９】
本実施形態によれば、使用者の意図によらずノック部材３が押圧されて筆記芯１の先端部が軸筒２から突出することを効果的に抑止することができる。
【００３０】
本実施形態における自動ロック機構は、前記ノック部材３が前記突出位置に向けて移動する過程でノック部材３を前記軸筒２に対して相対的に軸心回りに回動させるカム機構である。カム機構により軸心回りに回動したノック部材３は、突出位置において軸筒２の所定部位２１５に係合し、その結果として当該ノック部材３の進入位置に向けた移動が規制される。このような自動ロック機構は、ノック式の筆記具が必然的に有しているノック機構の要素である弾性付勢部材５を利用するものであり、自動ロック機構自体のために別途弾性付勢部材を筆記具に実装する必要がない。
【００３１】
さらに、本実施形態では、前記軸筒２の外周面との間で他の物を挟むことのできるクリップ３３を、前記ノック部材３の外周面から外側に張り出す連接部３１２を介してノック部材３に一体的に設け、かつ、軸筒２の一端側の端部から他端側に向かって延びる、ノック部材３とともに進退する連接部３１２を通過させるための切欠２１４を軸筒２に形成しており、ノック部材３が突出位置に復帰するとき、前記カム機構により軸心回りに回動したノック部材３の連接部３１２の位置がその回動方向に沿って軸筒２の切欠２１４からずれるものとしているため、筆記具全体としての構造や各部材の形状が徒に複雑化しない。
【００３２】
なお、ノック部材３が軸心方向に沿って進退するときに軸筒２の切欠２１４内で進退し、ノック部材３が進入位置から突出位置に復帰する際に切欠２１４から係止部２１５へと変位する部位が、必ずクリップ３３に連接する連接部３１２であるとは限らない。
【００３３】
また、ノック部材３が突出位置に向けて移動する過程でノック部材３の操作部３１を軸筒２に対して相対的に軸心回りに回動させるカム機構が、常に操作部３１と軸筒２との間に介在しているとも限らない。例えば、操作部３１と駆動部３２との間に、これら操作部３１及び駆動部３２が突出位置に向けて移動する過程で操作部３１を駆動部３２及び軸筒２に対して相対的に軸心回りに回動させるカム機構を設けることも当然に考えられる。
【００３４】
あるいは、操作部３１と駆動部３２との間に、操作部３１が駆動部３２に対して相対的に軸心回りに回動するように操作部３１を弾性付勢する弾性付勢部材を介在させて設けておき、これにより操作部３１に連なる連接部３１２の切欠２１４側から係止部２１５側への変位を惹起するようにしても構わない。この場合、上述したカム機構は不要となる。
【００３５】
＜第二実施形態＞続いて説明する第二実施形態は、ノック部材３単体で自動ロック機構を構築したものであり、軸筒２にはカム部２１３を設ける等の特段の改変を施していない。以降、本実施形態特有の構成に関して述べる。筆記芯１やノック機構等については、上記第一実施形態（さらには、既存の筆記具）と同様に構成することができるため、ここでは説明を割愛する。
【００３６】
図９及び図１０に示すように、本実施形態の筆記具のノック部材３は、ノック機構の回転子４と係合して筆記芯１の先端部の突没を惹起する（ノック部材３本来の機能を具現する）基体３４と、軸心方向に対して交差しまたは軸心方向に対して垂直な軸３４１回りに回動可能であるようにノック部材３の基体３４に支持させたストッパ３５とを備えている。
【００３７】
本実施形態のノック部材３のストッパ３５は、図９に示すアンロック姿勢と、図１０に示すロック姿勢とを選択的にとり得る。前者のアンロック姿勢をとるとき、ストッパ３５は、軸筒２においてノック部材３を受け容れる筒孔の内周面２１６よりも内側に位置する。この状態では、ストッパ３５が基体３４の後方（上方）に覆い被さる様相を呈する。翻って、後者のロック姿勢をとるときには、ストッパ３５が、軸筒２の筒孔の内周面２１６よりも外側に位置する。
【００３８】
ストッパ３５は、当該ストッパ３５と基体３４との間に介在させた弾性付勢部材（図示せず）、例えばねじりコイルばねやトーションバーばね、樹脂ばね等により、予めアンロック姿勢からロック姿勢へと向かう方向に弾性付勢してある。
【００３９】
ノック部材３がノック操作を受けて進入位置にあり、筆記芯１の先端部が筒孔から突出しているときには、ストッパ３５の少なくとも一部分が軸筒２の筒孔内に挿入されており、必然的にストッパ３５は筒孔の内周面２１６と係合してアンロック姿勢をとる。その状態で、ノック部材３が再度のノック操作を受けると、ノック機構の作動によりノック部材３の基体３４が突出位置に向けて移動することとなるが、弾性付勢されているストッパ３５が軸筒２の筒孔から脱出した瞬間にストッパ３５が回動、傾倒してロック姿勢をとるようになる。
【００４０】
図１０に示しているように、ストッパ３５がロック姿勢をとっている状態では、ノック部材３に軸心方向に沿った外力が作用したとしても、ストッパ３５と軸筒２の周壁との衝突により、ノック部材３が突出位置から進入位置に向かって移動することが阻まれる。故に、軸筒２内に没入している筆記芯１の先端部が軸筒２から突出することもない。本実施形態の筆記具を使用しようとする使用者は、ノック部材３をノック操作するのに先んじて、ストッパ３５を軸３４１回りに回動させて、図９に示すアンロック姿勢まで変位させる。
【００４１】
本実施形態では、筆記を行うための機能を具現する筆記芯１と、筆記芯１を収容する軸筒２と、軸筒２の一端側に配され、使用者の手指により軸筒２内に向けて押圧されるノック操作を受けることで軸筒２内により深く進入した進入位置に移動して筆記芯１の先端部を軸筒２の他端側から露出させるとともに、再度ノック操作を受けることで軸筒２の一端側からより大きく突出する突出位置に復帰して筆記芯１の先端部を軸筒２内に没入させるノック部材３と、ノック部材３が再度のノック操作を受けて突出位置に復帰する際、使用者の手指から加えられる操作力によらずに、ノック部材３（ストッパ５３）が突出位置と進入位置との間で進退する軸心方向とは異なる方向に変位することを惹起し、以て突出位置に復帰したノック部材３の進入位置に向かう移動を規制する自動ロック機構とを具備する筆記具を構成した。
【００４２】
本実施形態によれば、使用者の意図によらずノック部材３が押圧されて筆記芯１の先端部が軸筒２から突出することを効果的に抑止することができる。
【００４３】
本実施形態における自動ロック機構は、前記軸筒２において前記ノック部材３を受け容れる筒孔の内周面２１６よりも外側に位置するロック姿勢と当該筒孔の内周面２１６よりも内側に位置するアンロック姿勢とをとり得るストッパ３５を、アンロック姿勢からロック姿勢へと遷移する方向に弾性付勢しながら前記ノック部材３に設けてなるものである。ノック部材３が前記突出位置に向けて移動する過程でアンロック姿勢からロック姿勢に遷移したストッパ３５は軸筒２の所定部位即ち後端部の周壁に係合し、その結果として突出位置に復帰したノック部材３の進入位置に向けた移動が規制される。このような自動ロック機構は、ノック部材３単体で成立するものであり、筆記具の他の部材、即ち軸筒２や回転子４、筆記芯１等に特段の改変を施すことなく実現することが可能である。
【００４４】
さらに、本実施形態では、前記ストッパ３５を、軸心方向に対して交差する軸３４１回りに回動可能であるようにノック部材３の基体３４に支持させており、ノック部材３が進入位置に向かうときに予め使用者の手指により前記アンロック姿勢とされたストッパ３５が基体３４とともに前記軸筒２内に進入し、ノック部材３が突出位置に復帰するときに軸筒２内から脱出したストッパ３５が回動して前記ロック姿勢をとるものとしているため、筆記具全体としての構造や各部材の形状が徒に複雑化しない。
【００４５】
上記実施形態では、ノック部材３における基体３４とストッパ３５との間に弾性付勢部材を介在させて、ストッパ３５をアンロック姿勢からロック姿勢へと向かう方向に弾性付勢していた。しかしながら、そのような弾性付勢部材を用いず、ノック部材３が突出位置に向けて移動する過程でストッパ３５がその自重によってアンロック姿勢からロック姿勢に遷移するように構成する（そのようにストッパ３５の重心を設定する）ことも考えられる。
【００４６】
なお、本発明は以上に詳述した実施形態に限られるものではない。例えば、筆記具の態様はボールペンには限定されない。換言すれば、筆記芯はボールペンのリフィルであるとは限らない。
【００４７】
その他各部の具体的構成は、本発明の趣旨を逸脱しない範囲で種々変形が可能である。
【産業上の利用可能性】
【００４８】
本発明は、ノック式の筆記具に適用できる。
【符号の説明】
【００４９】
１…筆記芯
２…軸筒
２１３…カム部
２１４…切欠
２１５…係止部
２１６…筒孔の内周面
３…ノック部材
３１１…カム部
３１２…連接部
３３…クリップ
３４…基体
３４１…軸
３５…ストッパ
【図１】
0006694574.tif 000002
【図２】
0006694574.tif 000003
【図３】
0006694574.tif 000004
【図４】
0006694574.tif 000005
【図５】
0006694574.tif 000006
【図６】
0006694574.tif 000007
【図７】
0006694574.tif 000008
【図８】
0006694574.tif 000009
【図９】
0006694574.tif 000010
【図１０】
0006694574.tif 000011